【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
光を感知するセンサ部（４１）と隣接して配置され光透過性を有する検知面（４３）を有する光学窓（４２）に適用され、前記検知面を加熱する加熱部（３５）を有する光透過性フィルムヒータ（３０）と、
所定領域を発熱させる発熱部（３８、Ｅ２、Ｅ３）と、を備え、
前記光透過性フィルムヒータは、
前記加熱部において前記検知面の中心線（ＣＬ）を中心とする径方向外側に配置された第１電極（３１）と、
前記加熱部において前記第１電極とともに前記検知面を両側から挟むように配置された第２電極（３２）と、
前記加熱部を介した前記第１電極から前記第２電極への通電により発生する前記第１電極と前記第２電極との間の電位差に応じて発熱する第１発熱領域（Ｅ１）と、を有し、
前記発熱部は、前記第１発熱領域に対し前記検知面の中心線を中心とする径方向外側に位置する外側領域の温度が、前記第１発熱領域の温度よりも高くなる温度分布となるように前記所定領域を発熱させるヒータ装置。
【請求項２】
前記発熱部は、熱線ヒータにより構成されている請求項１に記載のヒータ装置。
【請求項３】
前記光透過性フィルムヒータは、
前記加熱部において前記第１電極側より前記検知面の中心線を中心とする径方向外側に配置された第３電極（３３）と、
前記加熱部において前記第２電極側より前記検知面の中心線を中心とする径方向外側に配置された第４電極（３４）と、を有し、
前記加熱部は、前記第１発熱領域（Ｅ１）と、前記第１電極と前記第３電極との間の電位差に応じて発熱する第２発熱領域（Ｅ２）と、前記第２電極と前記第４電極との間の電位差に応じて発熱する第３発熱領域（Ｅ３）と、を有し、
前記発熱部は、前記第２発熱領域（Ｅ２）および前記第３発熱領域（Ｅ３）を前記外側領域として発熱させる請求項１に記載のヒータ装置。
【請求項４】
前記光透過性フィルムヒータは、
前記加熱部において前記第１電極側より前記検知面の中心線を中心とする径方向外側に配置された第３電極（３３）と、
前記加熱部において前記第２電極側より前記検知面の中心線を中心とする径方向外側に配置された第４電極（３４）と、を有し、
前記加熱部は、前記第１発熱領域（Ｅ１）と、前記第１電極と前記第３電極との間の電位差に応じて発熱する第２発熱領域（Ｅ２）と、前記第２電極と前記第４電極との間の電位差に応じて発熱する第３発熱領域（Ｅ３）と、を有し、
前記第１電極と前記第２電極は、前記加熱部における厚さ方向の同じ位置に配置され、
前記第１電極と前記第３電極は、前記加熱部における厚さ方向の異なる位置に配置され、前記第２電極と前記第４電極は、前記加熱部における厚さ方向の異なる位置に配置されている請求項１に記載のヒータ装置。
【請求項５】
前記熱線ヒータは、線状を成し、
前記第１電極は、前記熱線ヒータの一端に接続され、前記第２電極は、前記熱線ヒータの他端に接続されている請求項２に記載のヒータ装置。
【請求項６】
前記第１電極および前記第２電極の少なくとも一部がヒータとして機能する請求項１ないし５のいずれか１つに記載のヒータ装置。
【請求項７】
前記第１電極および前記第２電極の少なくとも一方は、線状を成しており、第１の電極幅と該第１の電極幅より短い第２の電極幅を有し、
前記第１電極および前記第２電極の少なくとも一方のうち、前記第２の電極幅となった部位が前記ヒータとして機能する請求項６に記載のヒータ装置。
【請求項８】
前記第１電極および前記第２電極の少なくとも一方は、低抵抗材料を用いて形成された部位と、前記低抵抗材料よりも高抵抗である高抵抗材料を用いて形成された部位を有し、
前記第１電極および前記第２電極の少なくとも一方のうち、前記高抵抗材料により形成された部位が前記ヒータとして機能する請求項６に記載のヒータ装置。
【請求項９】
前記発熱部は、前記光学窓の所定領域の周囲の一部を除いて前記光学窓の所定領域の周囲を囲むように配置され、
前記第１電極および前記第２電極の少なくとも一方のうち、前記ヒータとして機能する部位が前記光学窓の所定領域の周囲の一部に配置されている請求項６に記載のヒータ装置。
【請求項１０】
前記光透過性フィルムヒータは、
前記加熱部において前記第１電極側より前記検知面の径方向外側に配置された第３電極（３３）と、
前記加熱部において前記第２電極側より前記検知面の径方向外側に配置された第４電極（３４）と、を有し、
前記加熱部は、前記第１電極と前記第２電極との間の電位差に応じて発熱する第１加熱部（３５１）と、前記第１電極と前記第３電極との間の電位差に応じて発熱する第２加熱部（３５２）と、前記第２電極と前記第４電極との間の電位差に応じて発熱する第３加熱部（３５３）と、を有し、前記第１電極と前記第３電極からみた前記第２加熱部の抵抗値および前記第２電極と前記第４電極からみた前記第３加熱部の抵抗値は、前記第１電極と前記第２電極からみた前記第１加熱部の抵抗値よりも大きくなっている請求項１に記載のヒータ装置。
【請求項１１】
前記第２加熱部および前記第３加熱部は、前記第１加熱部と同一材料で構成されており、前記第２加熱部および前記第３加熱部における厚さ方向の長さは、前記第１加熱部における厚さ方向の長さよりも短くなっている請求項１０に記載のヒータ装置。
【請求項１２】
前記第２加熱部および前記第３加熱部は、前記第１加熱部と同一材料で構成されており、前記第２加熱部および前記第３加熱部の少なくとも一方には、該第２加熱部および前記第３加熱部の少なくとも一方に流れる電流の電流経路長を長くするための切り欠き（３５２１、３５３１）が形成されている請求項１０または１１に記載のヒータ装置。
【請求項１３】
前記第２加熱部および前記第３加熱部は、前記第１加熱部と異なる材料で構成されている請求項１０に記載のヒータ装置。
【手続補正２】
【補正対象書類名】明細書
【補正対象項目名】発明の名称
【補正方法】変更
【補正の内容】
【発明の名称】ヒータ装置
【手続補正３】
【補正対象書類名】明細書
【補正対象項目名】０００１
【補正方法】変更
【補正の内容】
【０００１】
本発明は、ヒータ装置に関するものである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
上記目的を達成するため、請求項１に記載の発明は、光を感知するセンサ部（４１）と隣接して配置され光透過性を有する検知面（４３）を有する光学窓（４１）に適用され、検知面を加熱する加熱部（３５）を有する光透過性フィルムヒータ（３０）と、所定領域を発熱させる発熱部（３８、Ｅ２、Ｅ３）と、を備えている。また、光透過性フィルムヒータは、加熱部において検知面の中心線（ＣＬ）を中心とする径方向外側に配置された第１電極（３１）と、加熱部において第１電極とともに検知面を両側から挟むように配置された第２電極（３２）と、加熱部を介した第１電極から第２電極への通電により発生する第１電極と第２電極との間の電位差に応じて発熱する第１発熱領域（Ｅ１）と、を有し、発熱部は、第１発熱領域に対し検知面の中心線を中心とする径方向外側に位置する外側領域の温度が第１発熱領域よりも高くなる温度分布となるように所定領域を発熱させる。
【手続補正７】
【補正対象書類名】明細書
【補正対象項目名】０００９
【補正方法】変更
【補正の内容】
【０００９】
このような構成によれば、加熱部は、第１電極と第２電極との間の電位差に応じて発熱する第１発熱領域（Ｅ１）を有し、発熱部は、第１発熱領域に対し検知面の中心線を中心とする径方向外側に位置する外側領域の温度が第１発熱領域よりも高くなる温度分布となるように所定領域を発熱させる。したがって、加熱部の周縁部からの曇りの発生が抑制され、より曇りの発生を抑制することができる。